(57)【要約】【課題】外付電話機と接続し、回線とファクシミリデータの授受を行う通信端末装置では、通信用のトランスとトーン検出用のトランスの２つのトランスを使用していたため、例えば基板に搭載する場合には、そのための広いスペースが必要となって、スペース効率を改善するのが困難であった。【解決手段】外付電話機４のフック−オフを検出するオフ−フック検出部５１と、インピーダンスを切換えるインピーダンス切換部１０６及び直流抵抗を切換える直流抵抗切換部１０５を備えた半導体ＤＡＡ（５４，５５，５６）と、インピーダンスの切換えと直流抵抗の切換えを指示する制御部１５とを備え、外付電話機４のオフ−フックを検出すると、インピーダンス切換部１０６及び直流抵抗切換部１０５がそれぞれ無限大状態から高インピーダンス及び交直流抵抗値を選択するように制御する。【選択図】図３
2010171765.tif 000002
【特許請求の範囲】
【請求項１】
外付電話機と接続し、回線とファクシミリデータの授受を行う通信端末装置において、
前記外付電話機のフック−オフを検出するオフ−フック検出手段と、
インピーダンスを切換えるインピーダンス変換手段及び直流抵抗を切換える直流抵抗切換手段を備えた半導体ＤＡＡと、
前記インピーダンス切換手段による前記インピーダンスの切換えを指示するインピーダンス切換指示手段と、
前記直流抵抗切換手段による前記直流抵抗の切換えを指示する直流抵抗切換指示手段と
を備え、
前記オフ−フック検出手段が前記外付電話機のオフ−フックを検出すると、
前記インピーダンス切換指示手段が前記インピーダンス切換手段に前記インピーダンスの切換えを指示し、且つ前記直流抵抗切換指示手段が前記直流抵抗切換手段に前記直流抵抗の切換えを指示する
ことを特徴とする通信端末装置。
【請求項２】
前記オフ−フック検出手段は、フォトカプラを用いて前記オフ−フックを検出することを特徴とする請求項１記載の通信端末装置。
【請求項３】
前記オフ−フック検出手段は、電流検出素子を用いて前記オフ−フックを検出することを特徴とする請求項１記載の通信端末装置。
【請求項４】
外付電話機と接続し、回線とファクシミリデータの授受を行う通信端末装置において、
前記外付電話機の回線電圧を検出する回線電圧検出手段と、
前記回線電圧検出手段によって検出された検出電圧と所定の基準電圧を比較して前記外付電話機のオフ−フックを判定するオフ−フック判定手段と、
インピーダンスを切換えるインピーダンス変換手段及び直流抵抗を切換える直流抵抗切換手段を備えた半導体ＤＡＡと、
前記インピーダンス切換手段による前記インピーダンスの切換えを指示するインピーダンス切換指示手段と、
前記直流抵抗切換手段による前記直流抵抗の切換えを指示する直流抵抗切換指示手段と
を備え、
前記オフ−フック判定手段がオフ−フックであると判定した場合、
前記インピーダンス切換指示手段が前記インピーダンス切換手段に前記インピーダンスの切換えを指示し、且つ前記直流抵抗切換指示手段が前記直流抵抗切換手段に前記直流抵抗の切換えを指示する
ことを特徴とする通信端末装置。
【請求項５】
前記インピーダンス切換手段は、少なくとも第１のインピーダンスと前記第１のインピーダンスよりも値の高い第２のインピーダンスとが選択可能であり、
前記直流抵抗切換手段は、少なくとも第１の直流抵抗と前記直流抵抗よりも値の高い第２の直流抵抗値とが選択可能であり、
前記インピーダンス切換指示手段は、前記外付電話機がオフ−フックになった場合に前記インピーダンス切換手段を前記第２のインピーダンス側に切換えるよう指示し、前記ファクシミリデータを受信する際には前記インピーダンス切換手段を第１のインピーダンス側に切換えるよう指示し、
前記直流抵抗切換指示手段は、前記外付電話機がオフ−フックになった場合に前記直流抵抗切換手段を前記第２の直流抵抗側に切換えるよう指示し、前記ファクシミリデータを受信する際には前記直流抵抗切換手段を前記第１の直流抵抗側に切換えるよう指示する
ことを特徴とする請求項１乃至４の何れか一項に記載の通信端末装置。
【請求項６】
前記インピーダンス切換手段は、前記第２のインピーダンスよりも更に値の高い第３のインピーダンスを選択可能であり、
前記直流抵抗切換手段は、前記第２の直流抵抗よりも更に値の高い第３の直流抵抗を選択可能であり、
前記インピーダンス切換指示手段は、リング信号到来待ちの状態で前記インピーダンス切換手段が前記第３のインピーダンスを選択するよう指示し、
前記直流抵抗切換指示手段は、リング信号到来待ちの状態で前記直流抵抗切換手段が前記第３の直流抵抗を選択するよう指示する
ことを特徴とする請求項５に記載の通信端末装置。
【請求項７】
前記第１のインピーダンスは約６００Ω、前記第２のインピーダンスは約２０ｋΩ、前記第１の直流抵抗は約２５０Ω、そして前記第２の直流抵抗が約１０ｋΩであることを特徴とする請求項６記載の通信端末装置。
【請求項８】
前記第３のインピーダンス及び前記第３の直流抵抗は、前記インピーダンス切換手段及び前記直流抵抗切換手段がそれぞれ開放された端子を選択した時の状態に相当することを特徴とする請求項６叉は７に記載の通信端末装置。    
【発明の詳細な説明】
【技術分野】
【０００１】
本発明は、外付電話機と接続し、回線とファクシミリデータの授受を行う通信端末装置に関する。
【背景技術】
【０００２】
従来、この種の装置として、電話回線に通信用のトランスとトーン検出用のトランスを接続し、ファクシミリ通信の際は通信用トランスを使用してファクシミリデータの授受を行い、電話機／ファクシミリの切り替え時に検出する必要のあるＣＮＧ信号はトーン検出用の高インピーダンスのトランスを使用していた（例えば、特許文献１参照）。
【先行技術文献】
【特許文献】
【０００３】
【特許文献１】特開平６―１５２７９５号公報（第３，４頁、図１）
【発明の概要】
【発明が解決しようとする課題】
【０００４】
上記構成の装置では、通信用のトランスとトーン検出用のトランスの２つのトランスを使用していたため、これらトランスのためのスペースを確保する必要があり、例えば基板に搭載する場合には、そのための広いスペースが必要となって、スペース効率を改善するのが困難であった。
【課題を解決するための手段】
【０００５】
本発明の通信端末装置は、外付電話機と接続し、回線とファクシミリデータの授受を行う通信端末装置において、
前記外付電話機のフック−オフを検出するオフ−フック検出手段と、インピーダンスを切換えるインピーダンス変換手段及び直流抵抗を切換える直流抵抗切換手段を備えた半導体ＤＡＡと、前記インピーダンス切換手段による前記インピーダンスの切換えを指示するインピーダンス切換指示手段と、前記直流抵抗切換手段による前記直流抵抗の切換えを指示する直流抵抗切換指示手段とを備え、
前記オフ−フック検出手段が前記外付電話機のオフ−フックを検出すると、前記インピーダンス切換指示手段が前記インピーダンス切換手段に前記インピーダンスの切換えを指示し、且つ前記直流抵抗切換指示手段が前記直流抵抗切換手段に前記直流抵抗の切換えを指示することを特徴とする。
【０００６】
本発明による別の通信端末装置は、外付電話機と接続し、回線とファクシミリデータの授受を行う通信端末装置において、
前記外付電話機の回線電圧を検出する回線電圧検出手段と、前記回線電圧検出手段によって検出された検出電圧と所定の基準電圧を比較して前記外付電話機のオフ−フックを判定するオフ−フック判定手段と、インピーダンスを切換えるインピーダンス変換手段及び直流抵抗を切換える直流抵抗切換手段を備えた半導体ＤＡＡと、前記インピーダンス切換手段による前記インピーダンスの切換えを指示するインピーダンス切換指示手段と、前記直流抵抗切換手段による前記直流抵抗の切換えを指示する直流抵抗切換指示手段とを備え、
前記オフ−フック判定手段がオフ−フックであると判定した場合、前記インピーダンス切換指示手段が前記インピーダンス切換手段に前記インピーダンスの切換えを指示し、且つ前記直流抵抗切換指示手段が前記直流抵抗切換手段に前記直流抵抗の切換えを指示することを特徴とする。
【発明の効果】
【０００７】
本発明によれば、外付電話のフック−オフ時に半導体ＤＡＡの直流抵抗とインピーダンスを切換えるようにしたので、フック−オフ時の回線側からみたインピーダンス及び直流抵抗値を所望の値に設定することが可能となる。
【図面の簡単な説明】
【０００８】
【図１】本発明による通信端末装置としてのファクシミリ装置の実施の形態１の要部構成を示すブロック図である。
【図２】接続された外付電話と共にファクシミリ装置の一外観例を示す外観斜視図である。
【図３】実施の形態１の回線Ｉ／Ｆ部の構成を、モデム、制御部と共に示すブロック図である。
【図４】ハイブリッドネットワーク１０２の内部構成と、ハイブリッドネットワーク１０２を切換え制御する制御部による制御系の接続関係を示す回路構成図である。
【図５】実施の形態１において、ファクリミリ装置が自動受信に切換わる場合を含む動作の流れを示すフローチャートである。
【図６】実施の形態２のファクシミリ装置の回線Ｉ／Ｆ部の構成を、モデム、制御部と共に示すブロック図である。
【図７】図５に示すフローチャートのステップＳ３に代わって行う、実施の形態２のオフ−フック判定処理の流れを示すフローチャートである。
【発明を実施するための形態】
【０００９】
実施の形態１．
図１は、本発明による通信端末装置としてのファクシミリ装置の実施の形態１の要部構成を示すブロック図であり、図２は、接続された外付電話と共にこのファクシミリ装置の一外観例を示す外観斜視図である。
【００１０】
図１に示すように、ファクシミリ装置１は、印刷部１０、読取部１１、表示部１２、操作部１３、画メモリ１４、制御部１５、ＲＯＭ１６、ＲＡＭ１７、符号化／復号化部１８、モデム１９、回線Ｉ／Ｆ部２０、及びデータバス２１から構成されている。
【００１１】
印刷部１０は受信した画像を印刷し、読取部１１は送信する原稿を画像データに変換する。表示部１２には、装置の動作状況を示すためのＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）が装備され、操作部１３は、ダイヤルするためのキーとしてのテンキー、各種動作をさせるためのスタート／ストップキー等で構成され、画メモリ１４は、送信画情報と受信画情報を蓄積するメモリである。制御部１５は、ＲＯＭ１６に記憶された各種制御プログラムに従ってファクシミリ装置全体を制御し、本発明に直接関わる回線Ｉ／Ｆ部２０の制御もここで行われる。
【００１２】
ＲＡＭ１７は、各種必要なデータ、ファクシミリ装置全体を制御するためのワークエリア等に使用され、符号化／復号化部１８は、送信画情報をＭＨ・ＭＲ・ＭＭＲ符号化方式等の所定の符号化方式で圧縮し、また受信画情報をＭＨ・ＭＲ・ＭＭＲ復号化方式等の所定の復号化方式で伸長する。モデム１９は、回線Ｉ／Ｆ部２０を介して回線網２に送信するファクシミリデータを変調する一方、回線Ｉ／Ｆ部２０を介して回線網２から受信するファクシミリデータを復調するものである。データバス２１は、上記した各部を接続し、外付電話機４は外付電話機線３にてファクシミリ装置１に接続され（図２参照）、ファクシミリ装置１は回線網２に接続されている（図２参照）。
【００１３】
図３は、本発明を用いた実施の形態１の回線Ｉ／Ｆ部２０の構成を、モデム１９、制御部１５と共に示すブロック図である。
【００１４】
同図に示すように、回線Ｉ／Ｆ部２０は、回線網側回路５４、制御部側回路５６、及びこれら２つの回路を直流的に絶縁し、且つデータ、信号などを伝達する絶縁受渡部５５の３つで構成された半導体ＤＡＡ（Ｄａｔａ  Ａｃｃｅｓｓ  Ａｒｒａｎｇｅｍｅｎｔ）を使用している。端子２０ａ，２０ｂは、外付電話機線３（図１）を介して外付電話機に接続する端子であり、端子２０ｃ，２０ｄは、回線網２に接続される端子である。
【００１５】
端子２０ｃは、端子２０ｄとの間に雷サージ保護手段であるバリスタ５２が接続されると共に、ダイオードブリッジ５３の一方の交流端子５３ａに接続されている。この一方の交流端子５３ａは、回線網側回路５４の内部にあるＲＩ検出部１０１の一方の入力部に接続されると共に外付電話４（図１）を接続するための端子２０ｂに接続される。端子２０ｄは、制御部３０１によって制御されるリレー５７を介して外付電話４のオフ−フックを検出するためのオフ−フック検出手段としてのオフ−フック検出部５１に接続され、更にこのオフ−フック検出部５１を経由して外付電話４を接続するための端子２０ａに接続されると共に、ダイオードブリッジ５３の他方の交流端子５３ｂに接続されている。この他方の交流端子５３ｂは、回線網側回路５４の内部にあるＲＩ検出部１０１の他方の入力部に接続され、オフ−フック検出部５１の検出信号出力部は制御部１５に接続されている。
【００１６】
ダイオードブリッジ５３のプラス端子５３ｃは、回線網側回路５４の内部にあるハイブリットネットワーク１０２の一方の入力端子１０２ａに接続され、ダイオードブリッジ５３のマイナス端子５３ｄは、同じくハイブリットネットワーク１０２の他方の入力端子１０２ｂ接続されている。ハイブリットネットワーク１０２は、直流抵抗切換手段としての直流抵抗切換部１０５とインピーダンス変換手段としてのインピーダンス切換部１０６を内蔵し、ＲＩ検出部１０１の検出信号出力部は回線側絶縁Ｉ／Ｆ部１０４に接続されている。
【００１７】
ハイブリットネットワーク１０２は、ＡＤ／ＤＡコンバータ１０３の一方の接続端子１０３ａに接続されてファクシミリデータやＣＮＧ信号等のアナログ信号を送受信し、また回線側絶縁Ｉ／Ｆ部１０４に接続されて制御信号を受信する。ＡＤ／ＤＡコンバータ１０３の他方の接続端子１０３ｂは回線側絶縁Ｉ／Ｆ部１０４に接続されている。
【００１８】
回線側絶縁Ｉ／Ｆ部１０４は、絶縁受渡部５５に接続され、絶縁受渡部５５は、制御部側回路５６の内部にある制御部側絶縁Ｉ／Ｆ部２０１に接続されている。制御部側絶縁Ｉ／Ｆ部２０１は、制御Ｉ／Ｆ部２０３とＴＸ／ＲＸ
ＩＦ部２０２に接続されている。モデム１９は、制御部側回路５６の内部にあるＴＸ／ＲＸ ＩＦ部２０２に接続され、制御部１５は、制御部側回路５６の内部にある制御ＩＦ部２０３に接続されている。制御部１５は、直流抵抗切換指示手段としての直流抵抗切換指示部（ＤＣＲ指示部）３０１とインピーダンス切換指示手段としてのインピーダンス切換指示部（Ｚ指示部）３０２を内蔵する。
【００１９】
図４は、ハイブリッドネットワーク１０２の内部構成と、ハイブリッドネットワーク１０２を切換え制御する制御部１５による制御系の接続関係を示す回路構成図である。
【００２０】
同図に示すように、ハイブリットネットワーク１０２は、直流抵抗切換部１０５とインピーダンス切換部１０６を内蔵している。直流抵抗切換部１０５は、制御部１５の直流抵抗切換指示部３０１からの制御によりスイッチ１０５ｃが作動し、低直流抵抗１０５ａに接続された端子、高直流抵抗１０５ｂに接続された端子、及び開放端子の何れかを選択して接続する。インピーダンス切換部１０６は、制御部１５のインピーダンス切換指示部３０２からの制御によりスイッチ１０６ｃが作動し、低インピーダンス１０６ａに接続された端子、高インピーダンス１０６ｂに接続された端子、及び開放端子の何れかを選択して接続する。例えば、低直流抵抗１０５ａとして約２５０Ω、高直流抵抗１０５ｂとして約１０ＫΩ、低インピーダンス１０６ａとして約６００Ω、及び高インピーダンス１０６ｂとして約２０ＫΩにそれぞれ設定することができる。
【００２１】
この時の制御部１５からの制御信号は、制御ＩＦ部２０３を通って制御部側絶縁Ｉ／Ｆ部２０１でパラレル信号からシリアル信号へ変換され、絶縁受渡部５５を経由して回線側絶縁Ｉ／Ｆ部１０４に伝達され、ここで再びパラレル信号へ変換された後、ハイブリットネットワーク１０２に伝達される。
【００２２】
以上の接続関係おいて、各部の動作について更に説明する。
【００２３】
ＲＩ検出部１０１は、回線網２から端子２０ｃ、２０ｄに入力するリング信号（アナログ信号）を受信してデジタル信号に変換してデジタル信号化されたリング信号（デジタル）を回線側絶縁Ｉ／Ｆ部１０４に送信する。オフ−フック検出部５１は、例えばユーザーが外付電話機４の受話器を取って、そのフックが上がったオフ−フックを検出し、これを伝えるオフ−フック信号を制御部１５に送信する。
【００２４】
尚、オフ−フック検出部５１の構成例としては、フォトカプラを使用する方法と、電流センサを用いる方法がある。前者では、外付電話機４に対しシリーズにフォトカプラの発光側を接続し、受光側のトランジスタ出力を制御部１５へ接続するように構成し、後者では、外付電話機４に対しシリーズに電流センサのコイルを接続し、ホール素子を制御部１５へ接続するように構成する。
【００２５】
ダイオードブリッジ５３は、回線側の極性を統一して半導体ＤＡＡに接続する極性を決定し、ハイブリッドネットワーク１０５は、回線側のインピーダンスと直流抵抗を調整する。回線側絶縁部Ｉ／Ｆ部１０４は、絶縁受渡部５５へ送信する信号のパラレルデータをシリアルデータへ変換し、絶縁受渡部５５から受信する信号のシリアルデータをパラレルデータに変換する。制御部側絶縁部１／Ｆ部２０１は、絶縁受渡部５５へ送信する信号のパラレルデータをシリアルデータへ変換し、絶縁受渡部５５から受信する信号のシリアルデータをパラレルデータに変換する。
【００２６】
ＴＸ／ＲＸ ＩＦ部２０２は、モデム１９へ送信する信号のパラレルデータをシリアルデータへ変換し、モデム１９から受信する信号のシリアルデータをパラレルデータに変換する。制御ＩＦ部２０３は、制御部３０１からの制御信号を制御部側絶縁部１／Ｆ部２０１へ接続するためのインターフェイス部である。
【００２７】
以上の構成において、本発明によるファクシミリ装置１の動作について説明する。
図５は、相手先ファクシミリ装置から呼び出しがあり、外付電話としてファクシミリ装置に接続している外付電話機４で応答した際に、ファクリミリ装置が自動受信に切換わる場合を含む動作の流れを示すフローチャートである。このフローチャートに基づいて図１〜図４を参照しながら、その動作について説明する。
【００２８】
フローがスタートすると、相手からの呼び出し信号であるリング信号の到来待ち状態となる。尚、ここではフローがスタートする初期時に、ハイブリットネットワーク１０２の、直流抵抗切換部１０５では開放端子（無限大に相当）が、またインピーダンス切換部１０６でも開放端子（無限大に相当）が、それぞれスイッチ１０５ｃ及び１０６ｃ（図４）によって選択され、リレー５７はオン状態（接続状態）になっているものとする。
【００２９】
リング信号が到来すると、ＲＩ検出部１０１がこれを検出してデジタル化し、デジタル信号化されたリング信号は回線側絶縁Ｉ／Ｆ部１０４、絶縁受渡部５５、制御部側絶縁Ｉ／Ｆ部２０１、及び制御ＩＦ部２０３を経由し制御部１５へ伝達される。制御部１５では、伝達されたリング信号（デジタル）を有効なリング信号か否かを判定する（ステップＳ１）。尚、ここでＲＩ検出部が検出するリング信号は、ＡＣ７５Ｖｒｍｓ、１６Ｈｚの信号で、１秒−オン、２秒−オフを周期的に繰り返される信号である。
【００３０】
ここで有効なリング信号と判定した場合（ステップＳ１，Ｙｅｓ）、このリング信号が到来している時間、即ちリングレスポンスタイムが予めユーザーが設定するリングレスポンスタイムオーバー時間を越えるか否か、及びリングレスポンスタイムオーバー時間内にオフ−フック検出部５１がオフ−フックを検出したか否かを判定する（ステップＳ２，Ｓ３）。尚、リングレンポンスタイムオーバー時間は、一般的に５秒、１０秒、１５秒、２０秒を選択でき、ここでもユーザーが選択できるように構成されているものとする。
【００３１】
ここで、リングレスポンスタイムがリングレスポンスタイムオーバー時間を越えた場合（ステップＳ２，Ｙｅｓ）、ファックス受信を実施する（ステップＳ４）。このファックス受信時には、制御部１５の直流抵抗切換支持部３０１及びインピーダンス切換指示部３０２は、直流抵抗切換部１０５では低直流抵抗１０５ａを、インピーダンス切換部１０６では低インピーダンス１０６ａを、それぞれスイッチ１０５ｃ及び１０６ｃ（図４）によって選択するように指示する。そしてファックス受信が終了した段階で、制御部１５の直流抵抗切換支持部３０１及びインピーダンス切換指示部３０２が、共に開放端子を選択するようにスイッチ１０５ｃ及び１０６ｃ（図４）に指示し（ステップＳ５）、次のリング信号到来を監視する待機状態となる。
【００３２】
一方、リングレスポンスタイムオーバー時間内にオフ−フックが検出された場合（ステップＳ３，Ｙｅｓ）、制御部１５の直流抵抗切換支持部３０１及びインピーダンス切換指示部３０２は、直流抵抗切換部１０５では高直流抵抗１０５ｂを、インピーダンス切換部１０６では高インピーダンス１０６ｂを、それぞれスイッチ１０５ｃ及び１０６ｃ（図４）によって選択するように指示し（ステップＳ６）、回線網２からＣＮＧ信号（国際電気通信連合ＩＴＵ−Ｔ勧告で規定されているＣａｌｌｉｎｇ  Ｔｏｎｅ）を受信したか否か、及びＣＮＧ信号を受信する前にオフ−フックが解除されたか否かを判定する（ステップＳ７，Ｓ８）。
【００３３】
ＣＮＧ信号は、非音声通話であることを識別するための信号で、１１００Ｈｚで、０．５秒−オン、３秒−オフが周期的に繰り返される信号であり、端子２０ｃ，２０ｄ、ダイオードブリッジ５３、ハイブリットネットワーク１０２を経由し、ＡＤ／ＤＡコンバータ１０３でデジタル信号へ変換される。デジタル信号化されたＣＮＧ信号は、更に回線側絶縁Ｉ／Ｆ部１０４、絶縁受渡部５５、制御部側絶縁Ｉ／Ｆ部２０１、及びＴＸ／ＲＸ
ＩＦ部２０３を経由してモデム１９へ伝達される。このモデム１９にてＣＮＧ信号を検出する。
【００３４】
ここで、ＣＮＧ信号を受信した場合（ステップＳ７，Ｙｅｓ）、送信相手はファックスなので、ファックス受信を実施する（ステップＳ９）。このファックス受信時には、制御部１５によってリレー５７をオフ状態（開放状態）とし、前記したステップＳ４と同様に、制御部１５の直流抵抗切換支持部３０１及びインピーダンス切換指示部３０２は、直流抵抗切換部１０５では低直流抵抗１０５ａを、インピーダンス切換部１０６では低インピーダンス１０６ａを、それぞれスイッチ１０５ｃ及び１０６ｃ（図４）によって選択するように指示する。
【００３５】
そしてファックス受信が終了した段階で、制御部１５の直流抵抗切換支持部３０１及びインピーダンス切換指示部３０２が、共に開放端子を選択するようにスイッチ１０５ｃ及び１０６ｃ（図４）に指示し（ステップＳ１０）、更にリレーを再びオン状態（接続状態）として（ステップＳ１１）、次のリング信号到来を監視する待機状態となる。
【００３６】
ここで、上記したフローチャートに基づく動作について更に説明する。
【００３７】
回線網２側から回線Ｉ／Ｆ部２０をみた直流抵抗値及びインピーダンスは、ハイブリットネットワーク１０２で選択する直流抵抗（叉は無限大状態）及びインピーダンス（叉は無限大状態）と外付電話機４の直流抵抗値（叉はリレーによる無限大状態）及びインピーダンス（叉はリレーによる無限大状態）とをそれぞれ並列にしたときの値となる。外付電話機４の、オフ−フック時の直流抵抗値は２００Ω〜３００Ω、インピーダンスは６００Ω程度、またオン−フック時の直流抵抗値は直流抵抗値２５０Ωに比べて極めて高く、インピーダンスは２０ｋΩ〜３０ｋΩ程度であり、回線Ｉ／Ｆ部２０側からみた回線網２の直流抵抗値は５０Ω〜３００Ω、インピーダンスは６００Ω程度である。
【００３８】
上記したフローチャートに基づいて動作する回線Ｉ／Ｆ部２０によれば、ステップＳ４或いはステップＳ９でファックス受信する際には、外付電話機４はオン−フック或いはリレーオフによる非接続状態となっているため、回線網２側から回線Ｉ／Ｆ部２０をみた直流抵抗値及びインピーダンスは、殆どハイブリッドネットワーク１０２の低直流抵抗１０５ａ（２５０Ω）及び低インピーダンス１０６ａ（６００Ω）で決定される。
【００３９】
また、ステップＳ３或いはステップＳ８で外付電話機４のオフ−フックが検出されるオフ−フック時には、ハイブリットネットワーク１０２の直流抵抗値及びインピーダンスが無限大か、或いは高直流抵抗１０５ｂ（１０ｋΩ）及び高インピーダンス１０６ｂ（２０ｋΩ）となっているため、回線網２側から回線Ｉ／Ｆ部２０をみた直流抵抗値及びインピーダンスは、殆ど外付電話機４の、オフ−フック時の直流抵抗値（２００Ω〜３００Ω）、及びインピーダンス（６００Ω）で決定される。
従って、回線Ｉ／Ｆ部２０は、ＣＮＧ信号受信を含む外付電話機４による通信時、或いはファックス受信時に拘わらず、常に回線網２とインピーダンス整合をとることができる。
【００４０】
以上のように、本実施の形態のファクシミリ装置によれば、ファクシミリ装置と外付電話機との間に挿入されたオフ−フック検出部５１がオフ−フックを検出すると回線に対する半導体ＤＡＡのインピーダンスと直流抵抗を高くしてＣＮＧ信号を受信するようにしたので、半導体ＤＡＡとは別に高インピーダンスのトーン検出用トランスを用意することなく回線網とのインピーダンス整合をとることができる。よって高インピーダンストランスを搭載するスペースが節約できるので基板面積を小さくすることができ、安価に回路を構成することが可能になる。
【００４１】
実施の形態２．
図６は、本発明による実施の形態２のファクシミリ装置の回線Ｉ／Ｆ部５２０の構成を、モデム１９、制御部５１５と共に示すブロック図である。
【００４２】
この回線Ｉ／Ｆ部５２０及び制御部５１５を採用するファクシミリ装置が、前記した図１に示す実施の形態１のファクシミリ装置と主に異なる点は、回線Ｉ／Ｆ部５２０の回線網側回路５５４が、オフ−フック検出部５１（図３）に換えて回線電圧を監視する回線電圧検出手段としての回線電圧検出部５６０を備え、制御部５１５がオフ−フック判定手段としてのオフ−フック判定部５６１を新たに備えた点である。従って、この回線Ｉ／Ｆ部５２０及び制御部５１５を採用するファクシミリ装置が、前記した実施の形態１のファクシミリ装置１１（図１）と共通する部分には同符号を付して、或いは図面を省いて説明を省略し、異なる点を重点的に説明する。尚、本実施の形態のファクシミリの要部構成は、上記した回線Ｉ／Ｆ５０２及び制御部５６１の一部構成以外において図１に示す実施の形態１のファクシミリ装置１１の要部構成と共通するため、必要に応じて図１を参照する。
【００４３】
回線電圧検出部５６０は、回線電圧を検出し、この検出信号を回線側絶縁Ｉ／Ｆ部１０４、絶縁受渡部５５、制御部側絶縁Ｉ／Ｆ部２０１、及び制御ＩＦ部２０３を経由し制御部５１５へ伝達する。制御部５１５のオフ−フック判定部５６１は、検出した回線電圧の電圧値が、予め決められた基準電圧より低い場合、オフ−フックと判定する。
【００４４】
相手先ファクシミリ装置から呼び出しがあり、外付電話としてファクシミリ装置に接続している外付電話機４で応答した際に、ファクリミリ装置が自動受信に切換わる場合を含む本実施の形態における動作は、前記した図５に示すフローチャートのステップＳ３及びＳ７のオフ−フック判定処理以外、このフローチャートと同じである。従って、ここでは、本実施の形態におけるオフ−フック判定処理を説明し、共通する部分の処理についてはここでの説明を省略する。
【００４５】
図７は、図５に示すフローチャートのステップＳ３に代わって行う、本実施の形態のオフ−フック判定処理の流れを示すフローチャートである。同図に示すように、ステップＳ３０１〜ステップＳ３０３は、図５に示すフローチャートのステップＳ３に置き換わるものである。
【００４６】
ここでは、図５に示すフローチャートのステップＳ３に相当するオフ−フック判定を行う場合、先ずオフ−フック判定を行うか否かを制御部１５にて判断する（ステップＳ３０１）し、判定を行う場合には（ステップＳ３０１，Ｙｅｓ）、回線電圧検出部５６０で検出した回線電圧が、予め決められた基準電圧より低いか否かをチェックする（ステップＳ３０２）。予め決められた基準電圧以上の場合（ステップＳ３０２，Ｎｏ）、オフ−フックではないと判断してステップＳ２に戻り、予め決められた基準電圧より低い場合（ステップＳ３０２，Ｙｅｓ）、オフ−フック状態であると判定し（ステップＳ３０３）、ステップ６に進む。
【００４７】
同様にして、図７に示すフローチャートのステップＳ３０１〜ステップＳ３０３は、図５に示すフローチャートのステップＳ７に置き換わり、このステップＳ７に相当するオフ−フック判定を行うものである。これにより、本実施の形態のファクシミリ装置においても、相手先ファクシミリ装置から呼び出しがあり、外付電話としてファクシミリ装置に接続している外付電話で応答した際に、ファクリミリ装置が自動受信に切換わる場合を含む、前記した実施の形態１のファクシミリ装置と同様の処理が実行される。
【００４８】
以上のように、本実施の形態のファクシミリ装置によれば、前記した実施の形態１のファクシミリと同様の効果を得ることができ、更にオフ−フック検出部を搭載するスペースが節約できるので、実施の形態１の場合より、基板面積を小さくして安価に回路を構成することが可能になる。
【産業上の利用可能性】
【００４９】
上記した実施の形態では、通信端末装置として、ファクシミリ装置を例にして説明したが、本発明は、ファクシミリ機能内蔵電話機、複合機等の電話回線に接続して使用する装置で、外付電話を接続できる装置にも適用可能である。
【符号の説明】
【００５０】
１  ファクシミリ装置、  ２  回線網、  ３  外付電話機線、  ４  外付電話機、  １０  印刷部、  １１  読取部、  １２  表示部、  １３  操作部、  １４  画メモリ、  １５  制御部、  １６  ＲＯＭ、  １７  ＲＡＭ、  １８  符号化／復号化部、  １９  モデム、  ２０  回線Ｉ／Ｆ部、  ２０ａ，２０ｂ，２０ｃ，２０ｄ  端子、  ２１  データバス、  ５１  オフ−フック検出部、  ５２  バリスタ、  ５３  ダイオードブリッジ、  ５３ａ  一方の交流端子、  ５３ｂ  他方の交流端子、  ５３ｃ  プラス端子、  ５３ｄ  マイナス端子、  ５４  回線網側回路、  ５５  絶縁受渡部、  ５６  制御部側回路、  ５７  リレー、  １０１  ＲＩ検出部、  １０２  ハイブリットネットワーク、  １０２ａ  一方の入力端子、  １０２ｂ  他方の入力端子、  １０３  ＡＤ／ＤＡコンバータ、  １０３ａ  一方の接続端子、  １０３ｂ  他方の接続端子、  １０４  回線側絶縁Ｉ／Ｆ部、  １０５  直流抵抗切換部、  １０５ａ  低直流抵抗、  １０５ｂ  高直流抵抗、  １０５ｃ  スイッチ、  １０６  インピーダンス切換部、  １０６ａ  低インピーダンス、  １０６ｂ  高インピーダンス、  １０６ｃ  スイッチ、  ２０１  制御部側絶縁Ｉ／Ｆ部、  ２０２  ＴＸ／ＲＸ  ＩＦ部、  ２０３  制御Ｉ／Ｆ部、  ３０１  直流抵抗切換指示部、  ３０２  インピーダンス切換指示部、  ５１５  制御部、  ５２０  回線Ｉ／Ｆ部、  ５５４  回線網側回路、  ５６０  回線電圧検出部、  ５６１  オフ−フック判定部。
【図１】
2010171765.tif 000003
【図２】
2010171765.tif 000004
【図３】
2010171765.tif 000005
【図４】
2010171765.tif 000006
【図５】
2010171765.tif 000007
【図６】
2010171765.tif 000008
【図７】
2010171765.tif 000009